(57)【要約】【課題】新券発行機において、収納庫に収納された新券の枚数を確実に計数することのできるように紙幣に段差をつけて揃えることのできる収納庫が望まれていた。【解決手段】新券発行機１は、紙幣収納庫１０Ａ、１０Ｂと、紙幣収納庫１０Ａ、１０Ｂに収納された紙幣を繰り出して投出するための投出口５と、紙幣収納庫１０Ａ、１０Ｂに収納された紙幣の枚数を計数するための計数装置４０とを備える。紙幣収納庫１０Ａ、１０Ｂは、紙幣の一辺をなす下側側縁に当接して、紙幣を積層方向と交差する方向に揃えるための揃え平面１３を有する。揃え平面１３は、紙幣の積層方向に対して傾斜を有して設けられている。【選択図】図４
2010237782.tif 000002
【特許請求の範囲】
【請求項１】
シート状物を計数対象物として横方向に積層させた状態で収納するための収納庫と、
前記収納庫に収納された計数対象物を繰り出して投出するための投出口と、
前記収納庫に収納された計数対象物の枚数を計数するための計数手段とを備え、
前記収納庫は、計数対象物の一辺をなす一側縁に当接して計数対象物を積層方向と交差する方向に揃えるための揃え平面を有し、この揃え平面は、計数対象物の積層方向に対して所定の傾斜角を有して設けられていることを特徴とする、計数装置。
【請求項２】
前記揃え平面は、計数対象物を前記収納庫に収納する際に収納庫の底面を形成する面であることを特徴とする、請求項１記載の計数装置。
【請求項３】
前記収納庫を、計数対象物を収納する際に前記揃え平面が収納庫の底面となる起立状態と、計数対象物を繰り出す際に前記揃え平面が収納庫の側面となる横臥状態とに変位させる姿勢切り換え機構を有することを特徴とする、請求項２記載の計数装置。
【請求項４】
前記計数手段は、前記揃え平面の奥側に設けられていて、前記収納庫に収納された計数対象物を前記一側縁の奥側から観察することにより計数データを取得するための検出部を有することを特徴とする、請求項１〜３のいずれかに記載の計数装置。
【請求項５】
前記計数手段には、前記検出部と、この検出部を前記揃え平面の長さ方向に、揃え平面の傾きに沿わせて移動させる移動機構とが含まれていることを特徴とする、請求項４記載の計数装置。
【請求項６】
前記収納庫には、計数対象物が収納された後に閉じられることにより、計数対象物の前縁に当接して計数対象物を奥へ押し込み、計数対象物の奥縁を前記計数手段に対して所定の間隔に配置するための扉が備えられていることを特徴とする、請求項４または５記載の計数装置。
【請求項７】
前記収納庫は、前記起立状態において前方側が開放可能にされており、
前記起立状態で収納庫の底面をなす揃え平面は、その平面と略平行に配置された起立状態の収納庫の天面に対して、前方へ所定寸法突出していることを特徴とする、請求項３記載の計数装置。
【発明の詳細な説明】
【技術分野】
【０００１】
この発明は、紙幣、有価証券等の紙葉類、キャッシュカード、プリペイドカード等のカード状体などに代表されるシート状物を計数対象として、その枚数を計数するための計数装置に関する。
【背景技術】
【０００２】
この発明に関連する先行技術として、特許文献１に記載の紙葉類計数装置および特許文献２に記載の紙幣入出金処理装置がある。
【０００３】
特許文献１に記載の紙葉類計数装置は、紙幣等を非接触で一括計数するための装置であり、紙葉類を略直角以上折り曲げて各紙葉類の端辺が平行状態でずれを生じるように紙葉類をずらす紙葉類ずらし機構が備えられている。ずらされることにより紙葉類の端部は段差を生ずるので、生じた段差にほぼ平行に光を照射し、段差により形成される影を撮像して、その影の数と幅に基づいて紙葉類の枚数を計数するという構成を有している。
【０００４】
特許文献２に記載の紙幣入出金処理装置は、小束収納庫（金庫）に収容される把束紙幣の束数は、データとして記憶されるのみであり、実際に小束収納庫（金庫）に収容される把束紙幣の束数を計数する計数手段が備えられていないという実情に鑑みて考案されたもので、小束収納庫（金庫）内に収容される把束紙幣の束数を計数する精査手段を備えている。この精査手段は、把束紙幣を上下方向に積層し、傾斜させた状態で生じる把束紙幣の段差に基づいて束数を計数する構成を有している。
【先行技術文献】
【特許文献】
【０００５】
【特許文献１】特許第３０５１１４６号公報
【特許文献２】特開平１１−２３８１６２号公報
【発明の概要】
【発明が解決しようとする課題】
【０００６】
特許文献１に記載の先行技術では、紙葉類の枚数を計数するために紙葉類を湾曲させなくてはならない。このため、計数する紙葉類がたとえば紙幣新券の場合には、新券に傷がついたり折れ目がついたりするという課題がある。
【０００７】
特許文献２に記載の装置は、通常１００枚単位で帯封がされた小束紙幣の束数を計数するものであり、小束紙幣の計数をそのまま紙幣単体の計数に適用することは困難で、紙幣単体の計数を同様の機構によっては実現できないという課題があった。
【０００８】
この発明は、このような背景技術を前提としてなされたものであり、計数対象物、すなわち正面視が矩形状をした厚みの薄い紙幣、有価証券、キャッシュカード等の枚数を確実に計数することができ、しかも計数対象物を傷める心配のない計数装置を提供することを主たる目的とする。
【０００９】
この発明は、また、計数対象物を計数し易い状態に段差をつけて揃えることのできる収納庫を備えた計数装置を提供することを他の目的とする。
【課題を解決するための手段】
【００１０】
請求項１記載の発明は、シート状物を計数対象物として横方向に積層させた状態で収納するための収納庫と、前記収納庫に収納された計数対象物を繰り出して投出するための投出口と、前記収納庫に収納された計数対象物の枚数を計数するための計数手段とを備え、前記収納庫は、計数対象物の一辺をなす一側縁に当接して計数対象物を積層方向と交差する方向に揃えるための揃え平面を有し、この揃え平面は、計数対象物の積層方向に対して所定の傾斜角を有して設けられていることを特徴とする、計数装置である。
【００１１】
請求項２記載の発明は、前記揃え平面は、計数対象物を前記収納庫に収納する際に収納庫の底面を形成する面であることを特徴とする、請求項１記載の計数装置である。
【００１２】
請求項３記載の発明は、前記収納庫を、計数対象物を収納する際に前記揃え平面が収納庫の底面となる起立状態と、計数対象物を繰り出す際に前記揃え平面が収納庫の側面となる横臥状態とに変位させる姿勢切り換え機構を有することを特徴とする、請求項２記載の計数装置である。
【００１３】
請求項４記載の発明は、前記計数手段は、前記揃え平面の奥側に設けられていて、前記収納庫に収納された計数対象物を前記一側縁の奥側から観察することにより計数データを取得するための検出部を有することを特徴とする、請求項１〜３のいずれかに記載の計数装置である。
【００１４】
請求項５記載の発明は、前記計数手段には、前記検出部と、この検出部を前記揃え平面の長さ方向に、揃え平面の傾きに沿わせて移動させる移動機構とが含まれていることを特徴とする、請求項４記載の計数装置である。
【００１５】
請求項６記載の発明は、前記収納庫には、計数対象物が収納された後に閉じられることにより、計数対象物の前縁に当接して計数対象物を奥へ押し込み、計数対象物の奥縁を前記計数手段に対して所定の間隔に配置するための扉が備えられていることを特徴とする、請求項４または５記載の計数装置である。
【００１６】
請求項７記載の発明は、前記収納庫は、前記起立状態において前方側が開放可能にされており、前記起立状態で収納庫の底面をなす揃え平面は、その平面と略平行に配置された起立状態の収納庫の天面に対して、前方へ所定寸法突出していることを特徴とする、請求項３記載の計数装置である。
【発明の効果】
【００１７】
請求項１記載の発明によれば、計数対象物の（直線状の）一側縁に当接して計数対象物を積層方向と交差する方向に揃えるための揃え平面が、計数対象物の積層方向に対して傾斜角を有するように設けられている。このため、揃え平面に一側縁が当接された計数対象物は、積層方向に、揃え平面の傾斜角に沿ってずれ、一側縁は階段状に段差を有して揃えられる。段差を有して揃えられた計数対象物は、計数手段により、１枚ずつ確実に枚数検知を行うことができる。
【００１８】
請求項２記載の発明によれば、収納庫に計数対象物を収納する際に、揃え平面が収納庫の底面となっているから、収納庫に収納された計数対象物は、重力（自重）によりその一側縁が揃え平面に当接し、積層方向に段差を有して揃えられる。
【００１９】
請求項３記載の発明によれば、収納庫を起立状態および横臥状態に変位させる姿勢切り換え機構が備えられているから、収納庫を起立状態とすることにより、計数対象物を収納庫に容易にかつ自重により計数対象物の一側縁が揃え平面に当接するように収納することができる。また、計数対象物を繰り出す際には、収納庫を横臥状態に安定させることができるので、計数装置の配置や操作が容易となる。更に、計数対象物を収納してから、収納庫を横臥状態に変位させた際、動作による振動などによって計数対象物が捌かれると共に、均一に傾斜角を付けることができる。
【００２０】
請求項４記載の発明によれば、計数手段は、揃え平面により段差を有するように揃えられた計数対象物の一側縁を奥側から観察するので、計数対象物の一側縁およびその段差（ずれ）を確実に検出することができ、正確な枚数検知を行うことが可能である。
【００２１】
請求項５記載の発明によれば、検出部は、移動機構により揃え平面の傾きに沿うように移動されるので、収納された計数対象物の一側縁を順次検知することができ、小型の検出部により多数枚の集積された計数対象物の枚数を検出することができる。
【００２２】
請求項６記載の発明によれば、収納庫には扉が備えられているので、扉を閉じる際に扉が計数対象物の前縁を押し込み、計数対象物の後縁を計数手段と一定の間隔で対向させられる。よって、計数手段により正確に枚数検知を行うことができる。
【００２３】
請求項７記載の発明によれば、収納庫が起立状態のときに、収納庫の底面をなす揃え平面が、収納庫の天面よりも前方に突出しているため、操作者が計数対象物を収納庫に収納する際に、底面である揃え平面に計数対象物の一側縁を乗せ、その後奥方へスライドさせることによって計数対象物を揃え、容易に収納庫に収納することができる。つまり、計数対象物の収納時に天面が邪魔にならず、まず揃え平面である底面に計数対象物の一側縁を乗せ、その状態で計数対象物を押し込むことができる。
【図面の簡単な説明】
【００２４】
【図１】図１は、この発明の一実施形態に係る計数装置が搭載された新券発行機の外観斜視図である。
【図２】図２は、本体ユニット３が起立状態であって、かつ、本体ユニット３に備えられた扉７が開かれた状態の新券発行機１の斜視図である。
【図３】図３は、本体ユニット３の横臥状態と起立状態との姿勢切り換えを説明するための新券発行機１を右側から見た図解的な縦断面図である。
【図４】図４は、新券発行機１の平面図（本体ユニット３が横臥状態の平面図）であり、扉７を省略した平面図である。
【図５】図５は、紙幣収納庫１０Ａに２金種の紙幣が収納された状態を図解的に示す部分平面図である。
【図６】図６は、札押さえ１８、１９の機構および動作を説明するための図解的な斜視図である。
【図７Ａ】図７Ａは、札押さえ１８、１９の具体的な構成を表わす平面図である。
【図７Ｂ】図７Ｂは、札押さえ１８、１９の具体的な構成を表わす正面図である。
【図８】図８は、紙幣収納庫１０が紙幣を収納し易い構成であることを説明するための図解的な図であり、本体ユニット３が起立状態における紙幣収納庫１０を前方斜め右上から見た斜視図である。
【図９】図９は、図８のＡ−Ａに沿う図解的な部分縦断面図である。
【図１０】図１０は、本体ユニット３を奥側から見た本体ユニット３の下方部分の図解図である。
【図１１】図１１は、繰り出し機構の構成およびレイアウトを説明するための図である。
【図１２】図１２は、この実施形態に係る新券発行機１に採用されている紙幣繰り出しのための改良された搬送路の構成を説明するための平面図である。
【発明を実施するための形態】
【００２５】
以下には、図面を参照して、この発明の実施形態について具体的に説明をする。
【００２６】
以下の実施形態では、計数対象物として、新券（未使用紙幣）を例にとって説明する。
【００２７】
図１は、この発明の一実施形態に係る計数装置が搭載された新券発行機１の外観斜視図である。新券発行機１は、銀行営業店等に設置され、たとえば窓口において操作者（行員）が操作することにより、所定金種の新券を所定枚数発行することができる装置である。
【００２８】
図１を参照して、新券発行機１は、ベース２およびベース２に取り付けられた本体ユニット３を有する。ベース２は図示しない固定部を備えており、固定部によって銀行営業店のカウンタや金銭出納機の上部等に固定される。
【００２９】
本体ユニット３は、平面視が略長方形状で、正面視は横長の略長方形状をした厚み（高さ）の小さな直方体状をしており、ベース２に取り付けられている。本体ユニット３の正面４の左端寄りには、上下方向に延びるスリット状の紙幣投出口５が形成されている。本体ユニット３の正面４の右側上部から上面には、操作部６が備えられている。操作部６には、図示しないが、発行する新券の金種を特定するボタンや発行枚数を入力するボタン等が備えられている。操作者（行員）が操作部６を操作することにより、本体ユニット３内に収納された新券を投出口５から投出（発行）することができる。
【００３０】
本体ユニット３には、開閉可能な扉７が備えられている。扉７は、たとえば右辺が回動可能に取り付けられており、右辺を中心に左辺側が回動して開閉される。扉７の左辺には扉７を閉じた状態に維持するためのロック装置８が備えられている。
【００３１】
新券発行機１は、図１に示す本体ユニット３が横臥状態（正面４が正面を向いて垂直になった状態）で操作され、新券発行処理が行われる。そして、新券発行機１は、本体ユニット３内に新券を収納する際には、本体ユニット３をベース２に対して前方へ略９０°起き上がらせた起立状態にすることができる。
【００３２】
図２は、本体ユニット３が起立状態であって、かつ、本体ユニット３に備えられた扉７が開かれた状態の斜視図である。新券発行機１を図２の状態にすることにより、本体ユニット３内に形成された紙幣収納庫１０への紙幣の収納が容易に行える。
【００３３】
図３は、本体ユニット３の横臥状態と起立状態との姿勢切り換えを説明するための新券発行機１を右側から見た図解的な縦断面図である。新券発行機１にはガスダンパー１１が備えられている。ガスダンパー１１の一端はベース２内に固定されており、その他端は本体ユニット３内の前方上方寄りの位置に固定されている。そして本体ユニット３は、下面前方寄りの位置がベース２の上面前方寄りの位置と連結された回動支点１２を備えている。この回動支点１２を中心に、ガスダンパー１１の伸縮力に補助されて、ベース２に対する本体ユニット３の姿勢を横臥状態と起立状態とに、手動で切り換えることができる。
【００３４】
この実施形態では、図３に示すように、本体ユニット３を水平位置（横臥状態）から回動支点を中心にほぼ垂直になるよう回転させ、起立状態にすることができる。本体ユニット３が起立状態のとき、紙幣収納庫１０の底面を区画する揃え平面１３は、奥から前方に向かって、垂直方向に対してほぼ水平状態となる。また、紙幣収納庫１０の奥面を区画する奥当て板１４は、水平方向に対してほぼ垂直な面となる。よって、紙幣収納庫１０内へ、その前方開放部から紙幣（新券）を容易に収納することができる。紙幣収納は、多数枚の紙幣を横方向に積層させた状態で、紙幣の一方短辺（下側短辺）を揃え平面１３に当接させ、その状態で紙幣を奥へ押し込み、紙幣の奥側長辺を奥当て板１４に当接させるように行われる。収納時、紙幣は自重（重力）により下側短辺が揃え平面１３に自然に当接する。
【００３５】
なお、ここでは水平位置と垂直位置の２ケ所で紙幣を固定する構成を示したが、紙幣の載置高さや、操作性の面から、紙幣を３ケ所で固定したり、固定位置がリニアに変位する構成とすることも可能である。
【００３６】
また、紙幣収納庫１０に紙幣が収納された後、扉７を閉じることにより、仮に何枚かの紙幣が奥当て板１４に当接しておらず前方寄りに偏位していても、閉じられる扉７により前方に偏位している紙幣の前辺が押し込まれ、紙幣は奥当て板１４に当接される。
【００３７】
図４は、新券発行機１の平面図（本体ユニット３が横臥状態の平面図）であり、扉７を省略した平面図である。
【００３８】
この実施形態の特徴は、本体ユニット３内に形成された紙幣収納庫１０の一面を区画する揃え平面が、収納する紙幣の積層方向に対して所定の傾斜角を有するように設けられていることである。より具体的に述べると、平面視において、本体ユニット３内には、２つの紙幣収納庫１０Ａ、１０Ｂが左右に配列されている。そして各紙幣収納庫１０Ａ、１０Ｂは右上がりに傾斜した収納庫となっている。
【００３９】
左側の紙幣収納庫１０Ａを例にとって説明すると、紙幣収納庫１０Ａは、揃え平面１３と、左垂直側面１５と、右垂直側面１６と天面１７とによって区画された平面視が平行四辺形状をしている。揃え平面１３は紙幣の積層方向Ａ１（図において水平な左右方向）に対して右上がりに傾斜が付けられた傾斜平面とされている。天面１７は、揃え平面１３と紙幣の長辺長さ＋α（αはわずかな隙間）の寸法を隔てて設けられており、天面１７も揃え平面１３と同じ傾斜を有する傾斜平面とされている。左垂直側面１５および右垂直側面１６は、図において上下方向に延びている。このため、多数枚の紙幣を横方向に積層した状態で、長辺が上下に延びる方向に紙幣収納庫１０Ａに収納されると、紙幣の下側短辺は揃え平面１３に当接して揃えられる。その結果、横方向に積層された紙幣は、揃え平面１３の傾斜に沿って、各紙幣間にわずかな段差が生じるように揃えられる。積層された紙幣は、左から右に向かって順にこの段差を有するため、後述するように、紙幣収納庫１０に収納された積層紙幣の下側縁近傍を奥側から計数装置で計数する際に、紙幣が有する段差によって紙幣の枚数をより正確に計数することが可能となる。
【００４０】
紙幣収納庫１０Ａは、奥側が前述した奥当て板１４で区画されている。奥当て板１４は揃え平面１３の傾斜に合わせて左から右方向へ傾斜して配置されている。紙幣収納庫１０Ａに収納された紙幣は、奥側長辺が奥当て板１４により位置規制され、下側短辺が揃え平面１３により位置規制される。そして奥当て板１４のさらに奥側下方には計数装置（後述する）が配置されている。奥当て板１４および揃え平面１３により奥側長辺および下側短辺が揃えられた紙幣の一側縁は、計数装置により検出され、その枚数が正確に計数され得る。
【００４１】
右側の紙幣収納庫１０Ｂも、紙幣収納庫１０Ａと同等の構成である。よって、同一または対応する部材には同一番号を付し、重複した説明については省略する。
【００４２】
この実施例では、紙幣収納庫１０Ａには、２金種の紙幣（たとえば１万円紙幣および５千円紙幣）が収容可能とされている。紙幣収納庫１０Ａに収納される多数枚の１万円紙幣（新券）は、揃え平面１３および奥当て板１４に沿って揃えられ、一方面が左垂直側面１５に当接するように積層される。そして一方の札押さえ１８により他方面が弾力的に押さえられる。多数枚の５千円紙幣（新券）は、揃え平面１３および奥当て板１４によって揃えられ、一方面が右垂直側面１６に当接するように積層される。そして５千円紙幣の積層体の他方面は他方の札押さえ１９により弾力的に押さえられる。札押さえ１８、１９は、左垂直側面１５と右垂直側面１６との間の空間内を左垂直側面１５および右垂直側面１６と平行に、すなわち揃え平面１３と同じ傾斜を保った状態で平行移動することができる。このため、紙幣収納庫１０Ａ内に収納可能な紙幣枚数（合計収納枚数）は、たとえば８００枚と一定であるが、紙幣収納庫１０Ａ内へ収納する１万円紙幣と５千円紙幣との収納割合は、総枚数の範囲内において自由に調整することができる。たとえば、１万円札を６００枚収納し、５千円紙幣は２００枚とすることができるし、１万円紙幣および５千円紙幣共に４００枚を収納することもできる。
【００４３】
このように、紙幣収納庫１０Ａが、２金種の紙幣を収納することができ、その収納割合は任意に調整可能としたことにより、実際の使用に適した装置とすることができる。
【００４４】
この実施形態では、他方の紙幣収納庫１０Ｂは、基本的な構成は紙幣収納庫１０Ａと同じであるが、紙幣収納枚数が２金種合計で４００枚となっている。紙幣収納庫１０Ｂには、たとえば千円紙幣と２千円紙幣とが収納される。
【００４５】
この実施形態のように、２つの紙幣収納庫１０Ａおよび１０Ｂを設け、１つの収納庫に２金種の紙幣を収納可能な構成とすることにより、たとえば４金種の紙幣を収納する場合に、各金種毎に４つの収納庫を設ける場合に比べて、機器の幅（左右方向寸法）を短くすることができ、しかも全体の収納容量を実用上支障のない範囲で同等に保つことができる。
【００４６】
たとえば、４金種（たとえば、１万円、５千円、２千円、千円）それぞれを３００枚収納可能な紙幣収納庫を４つ配置した従来の装置は、収納容量が全体で１２００枚であった。しかし、この場合、たとえば２千円紙幣を収納する収納庫には、２千円紙幣の流通量が少ないこともあって、３００枚の２千円紙幣が収納されることは少なく、２千円紙幣用の収納庫には空きスペースが存在していることが多かった。
【００４７】
そこで、この実施形態では、紙幣収納庫１０Ａには２金種合計で８００枚の紙幣を収納可能とし、紙幣収納庫１０Ｂには２金種合計で４００枚の紙幣を収納可能な構成とした。この構成により、合計で１２００枚の紙幣を収納することができる。そして、１万円紙幣および５千円紙幣は、合計で８００枚収納することができ、従来の各３００枚収納する場合に比べて、合計値で２００枚の容量アップを図ることができる。また、紙幣収納庫１０Ｂは、合計で４００枚の紙幣を収納できるため、千円紙幣と２千円紙幣との合計収納数は、従来の６００枚（３００枚＋３００枚）に比べて２００枚減るが、前述したように２千円紙幣の収納量は少なくてもよい（たとえば５０枚程度で実用上問題ない）ので、ほとんどを千円紙幣の収納に使え、千円紙幣をたとえば３５０枚収納することができる。
【００４８】
従って、実際の運営上は全く問題なく、１万円紙幣、５千円紙幣、千円紙幣という流通量の多い紙幣の収納量を確保することができる。そして機器の幅を小型化することが可能となる。
【００４９】
図５は、紙幣収納庫１０Ａに２金種の紙幣が収納された状態を図解的に示す部分平面図である。紙幣収納庫１０Ａ内において、たとえば左垂直側面１５には１万円紙幣の一方面が当接され、１万円紙幣は右側に向かって所定の段差を有する積層状態で収納されている。また、右垂直側面１６には５千円紙幣の一方面が当接され、５千円紙幣は左側に向かって所定の段差を有する積層状態で収納されている。１万円紙幣の積層体１００００は、札押さえ１８により左に向かって弾力的に押圧されている。また、５千円紙幣の積層体５０００は、札押さえ１９によって右に向かって弾力的に押さえられている。
【００５０】
左垂直側面１５の上部寄りの位置には繰り出しベルト２１が配置されている。また天面１７の上方には繰り出しベルト２１と対向して設けられた重送防止用ローラー２２が備えられている。図示しない駆動源により繰り出しベルト２１が駆動されることにより、１万円紙幣は、左側（左垂直側面１５に当接する側）の紙幣から順番に１枚ずつ上方へ繰り出される。
【００５１】
同様に、右垂直側面１６の上方部には繰り出しベルト２３が組み込まれている。また天面１７の上部には、繰り出しベルト２３と対向して重送防止ローラー２４が備えられている。収納された５千円紙幣は、右垂直側面１６に当接する側の紙幣から順番に、繰り出しベルト２３が駆動されることにより１枚ずつ上方へ繰り出される。
【００５２】
図６は、札押さえ１８、１９の機構および動作を説明するための図解的な斜視図である。また、図７Ａおよび図７Ｂは、札押さえ１８、１９の具体的な構成を表わす平面図および正面図である。
【００５３】
図６、７Ａおよび７Ｂを参照して、札押さえ１８、１９は、紙幣収納庫１０Ａ内で右上りの斜め左右方向に移動することができ、収納された２金種の紙幣をそれぞれ弾力的に押圧する部材である。
【００５４】
一方の札押さえ１８は、たとえばばね２５によって斜め左方向へ常時弾力付勢されている。他方の札押さえ１９も、たとえばばね２６によって斜め右方へ向かって常時弾力付勢されている。札押さえ１８の手前側辺から手前に向かって係合杆２７が突設されている。そして係合杆２７と係合するストッパ部材２８が揃え平面１３（図４参照）と平行に、かつ揃え平面１３とは干渉しないように設けられている。ストッパ部材２８は、その上縁に長手方向に沿って鋸歯状のギザギザ（複数の爪）２８ａが形成されている。ギザギザ２８ａは、図において左から右に向かって斜めに立ち上がり、右端が垂直に下方へ立ち下がる鋸歯状である。ストッパ部材２８は、たとえばばね２９により常時上方へ向かって弾力付勢されている。
【００５５】
札押さえ１９も、同様の構成になっており、３２が係合杆、３３がストッパ部材、３３ａがギザギザ、３４がストッパ部材３３を上方へ弾力付勢しているばね、３５が係合杆３２とストッパ部材３３との係合を解除するための解除片である。
【００５６】
操作者（行員）が、紙幣収納庫１０Ａ内へ１万円紙幣（新券）を収納する際には、まず、解除片３５を押し下げ、ストッパ部材３３を降下させる。これにより、札押さえ１８の斜め右方向へのスライド移動が可能となる。そして、操作者（行員）は、札押さえ１８を斜め右方向へスライド移動させ、札押さえ１８と左垂直側面１５（図４，図５参照）との間に収容する１万円紙幣の積層体の厚みと同等程度の収容空間を形成する。その際、札押さえ１８が斜め右方向へ移動されると、係止杆２７はストッパ部材２８の上縁に沿って左から右へ移動し、ギザギザ２８ａと接触しながら右へ移動する。そして、操作者（行員）が札押さえ１８から手を放すと、係止杆２７はストッパ部材２８のギザギザ２８ａの１つと係合して、その位置で係止され、斜め左方向への移動が阻止される。このため、操作者（行員）は札押さえ１８を右に移動させた状態で札押さえ１８を保持しておく必要はなく、札押さえ１８から手を離し、両手で紙幣の積層体を紙幣収納庫１０へ収納することができる。収納が完了すると、操作者（行員）は解除片３０を押す。解除片３０はストッパ部材２８とリンクしており、ストッパ部材２８はばね２９の力に抗して押し下げられるので、係止杆２７がギザギザ２８ａから外れ、札押さえ１８はばね２５の力によって収納された紙幣を押さえる位置へ移動する。
【００５７】
ところで、紙幣収納後、解除片３０を押し忘れたとしても、扉７を閉じることによって、解除片３０および３５が扉７によって押下される構造であるので、扉７を閉塞することによって、収納された紙幣は確実に札押さえ１８、１９で弾力的に押さえられる。
【００５８】
なお、図７Ｂに示すように、１万円紙幣用の札押さえ１８のためのストッパ部材２８と、５千円紙幣用の札押さえ１９のためのストッパ部材３３とを比べると、後者の方がギザギザ３３ａの数が少なく、ストッパ部材３３の長さ方向に右側から中央付近までしかギザギザ３３ａが形成されていない。これは、実際の使用、運用に則した構成としたためである。
【００５９】
なお、本実施の形態においては、札押さえ１８、１９を２つのストッパ部材２８、３３でそれぞれ保持するようにしたが、１つのストッパ部材によって札押さえ１８、１９を保持するようにしても構わない。この場合、ギザギザは矩形状に形成するのが望ましい。
【００６０】
図８および図９は、紙幣収納庫１０が紙幣を収納し易い構成であることを説明するための図である。特に、図８は、本体ユニット３が起立状態における紙幣収納庫１０を前方斜め右上から見た斜視図であり、図９は、図８のＡ−Ａに沿う図解的な部分縦断面図である。
【００６１】
図８、９において、１３は揃え平面である。そして、図８において右手前側、図９において右側は、紙幣収納庫１０の入口（開放側）である。紙幣収納庫１０は、起立状態で、その底面が揃え平面１３で区画され、対向する天面１７が備えられている。この実施形態の特徴は、天面１７に対して揃え平面１３が前方（開放部）側へＸ（図８参照）だけ延び出ていることである。このような構成にすると、操作者（行員）は、紙幣１００００の下側短辺をまず揃え平面１３の上に乗せ、紙幣１００００の下側短辺を揃え平面１３上で揃えた状態で、紙幣１００００を紙幣収納庫１０の奥へ押し込むことができる。このように、まず、揃え平面１３に紙幣１００００の下側短辺を乗せられる構成にすると、紙幣収納庫１０への紙幣の収納がきわめて容易に行える。そして揃え平面１３で紙幣１００００の下側短辺を揃えた状態で、積層された紙幣１００００を奥へスライドさせるように押し込み、紙幣１００００の奥側長辺を奥当て板１４に当接させればよい。
【００６２】
換言すれば、この実施形態の紙幣収納庫１０は、天面１７が揃え平面１３と同様に、揃え平面１３の位置まで前方に突出していないので、前方斜め上方から操作者（行員）は紙幣収納庫１０を覗くことができ、揃え平面１３に対して紙幣１００００の下側短辺を乗せて容易に紙幣１００００を紙幣収納庫１０へ収納することができる。
【００６３】
なお、揃え平面１３と天面１７との垂直な縦方向の間隔は、前述したように、紙幣１００００の長辺長さ＋α（αはわずかな隙間）とされていることも、紙幣１００００を収納し易くしている。
【００６４】
そして仮に、紙幣が紙幣収納庫１０の奥まできちんと収納されておらず、紙幣の奥側長辺が奥当て板１４に当接していない場合には、扉７が閉じられることにより、紙幣の前側長辺が扉７により押されるので、扉７が閉じられた状態では、紙幣はその奥側長辺が奥当て板１４に確実に当接する。
【００６５】
この結果、紙幣収納庫１０の奥側下方に設けられた計数装置４０の撮像面は、紙幣の端部と微小な間隔で対向し、確実に紙幣の端部画像を撮像して、枚数を計数することが可能である。
【００６６】
図１０は、本体ユニット３を奥側（本体ユニット３が起立状態において裏面側）から見た本体ユニット３の下方部分の図解図である。
【００６７】
本体ユニット３の奥側下方部には、計数装置４０が備えられている。計数装置４０には取付部材４１が固定されており、取付部材４１を介してガイドバー４２に連結されている。ガイドバー４２は、図において、左側が上方に延びるように斜めに配置されており、計数装置４０を左右に斜め方向へ案内するためのものである。ガイドバー４２の傾斜は、紙幣収納庫１０（１０Ａ、１０Ｂ）に備えられた揃え平面１３の傾斜に対応されている。
【００６８】
また、取付部材４１には駆動ベルト４３が取り付けられている。駆動ベルト４３は、プーリ４４、４５間に張架されてガイドバー４２と平行に延びるとともに、駆動ギヤ４５に掛け回されて、駆動モータ４６によりギヤ機構４７を介して駆動される。すなわち、駆動モータ４６が回転されると、駆動ベルト４３が移動され、ガイドバー４１に案内されて計数装置４０は左右に斜め方向に移動することができる。そしてその移動に伴い、計数装置４０は、紙幣収納庫１０（１０Ａ、１０Ｂ）に収納された４金種の紙幣の各下方側端縁部を撮像（検知）して、各金種の紙幣の枚数を計数することができるものである。
【００６９】
図１１は、紙幣収納庫１０（１０Ａ、１０Ｂ）に備えられた４金種の紙幣を繰り出すための繰り出し機構７１、７２、７３、７４の駆動系統の構成を示す図である。紙幣収納庫１０には、前述したように、１万円紙幣および５千円紙幣を収納するための収納庫１０Ａならびに千円紙幣および２千円紙幣を収納するたの収納庫１０Ｂが備えられている。そして、収納庫１０Ａには紙幣繰り出し機構７１および７２が備えられており、収納庫１０Ｂには紙幣繰り出し機構７３および７４が備えられている。紙幣繰り出し機構７１は、前述したように、札押さえ１８Ａ、繰り出しベルト２１Ａおよび重送防止ローラー２２Ａを具備している。同様に、紙幣繰り出し機構７２は札押さえ１９Ａ、繰り出しベルト２３Ａおよび重送防止ローラー２４Ａを具備している。紙幣繰り出し機構７３は、札押さえ１８Ｂ、繰り出しベルト２１Ｂおよび重送防止ローラー２２Ｂを具備している。紙幣繰り出し機構７４は、札押さえ１９Ｂ、繰り出しベルト２３Ｂおよび重送防止ローラー２４Ｂを具備している。
【００７０】
各紙幣繰り出し機構７１、７２、７３、７４の繰り出し動作は、それぞれ、繰り出し用プーリ６１、６２、６３、６４が回転され、クラッチ（図示せず）が接続されて、繰り出しベルト２１Ａ、２３Ａ、２１Ｂ、２３Ｂが駆動されることにより行われる。
【００７１】
この実施形態の特徴は、繰り出し機構７２による５千円紙幣の繰り出しおよび繰り出し機構７４による２千円紙幣の繰り出しは、駆動モータ７５を正転させ、ベルト７６により繰り出し用プーリ６２および６４を正転（図において時計回りに回転）させることにより行われる構成であり、一方、繰り出し機構７１による１万円紙幣の繰り出しおよび繰り出し機構７３による千円紙幣の繰り出し時には、駆動モータ７５を逆転させ、ベルト７６により繰り出し用プーリ６１および６３を逆転（反時計回りに回転）させることにより行われる構成になっていることである。
【００７２】
このように、駆動モータ７５を正転および逆転制御することにより、繰り出し金種を選択することができる構成としたので、繰り出し機構の機械的構造を簡略化することができる。つまり、タイミングベルトは、片面タイミングベルトを用いることができ、テンションプーリの配置等を省略または簡略化することができ、駆動レイアウトを省スペースで行うことができる。
【００７３】
図１２は、この実施形態に係る新券発行機１に採用されている紙幣繰り出しのための改良された搬送路の構成を説明するための平面図である。紙幣収納庫１０から上方へ繰り出される紙幣を紙幣収納庫１０の左側に備えられた投出用集積部（図４参照）へ搬送するための搬送機構５０が、紙幣収納庫１０の上部に配置されている。この搬送機構５０は、従来は、搬送路の両側に対向するプーリおよび平ベルトを設け、平ベルト間に紙幣を挟み込んで搬送するという構成であった。
【００７４】
ところが、かかる構成では、搬送機構の構成が大型化するという課題があったので、この実施形態では、平ベルト間ではなく、平ベルトとローラーとによって紙幣を挟み込み、搬送する構造に改良した。
【００７５】
すなわち、紙幣収納庫１０の上部に複数個（具体的には６個）のローラー５１、５２、５３、５４、５５、５６を所定の間隔で配列し、その６つのローラー５１〜５６に対してジグザグに平ベルト５７がかかるように搬送用の平ベルト５７を張架する。このように平ベルト５７が複数個のローラー５１〜５６に対してジグザグにかけられている場合、平ベルト５７によって紙幣を搬送するに当たり、平ベルト５７と対向する平ベルトを設ける必要はなく、平ベルト５７とローラー５３、５５、５７とに挟まれた紙幣は、屈曲されながら確実に搬送される。また、ローラー５４、５６に張架されたベルトの外側に紙幣ガイドを設ければ、紙幣は平ベルト２１に沿って屈曲されながら搬送される。つまりこの実施例では、平ベルト５７を張架する複数のローラー５１〜５６の配置を工夫して、平ベルト５７がジグザグにかかるようにした。これにより、搬送される紙幣は、平ベルト５７とローラー５１〜５６とにより確実に搬送される。その結果、対向するプーリやベルトを省略することができ、搬送装置の小型化を実現することができる。
【００７６】
上述の実施形態では、計数対象物として、未使用紙幣（新券）を例にとり、新券を発行する新券発行機１を実施形態として説明した。
【００７７】
しかしながら、この発明は、新券発行機１やその新券発行機１に搭載された計数装置だけが対象ではなく、使用済紙幣、有価証券、クレジットカード類等のシート状物を整列させて計数するための計数装置にも適用することが可能である。
【００７８】
その他、特許請求の範囲に記載された事項の範囲で種々の設計変更を施すことが可能である。
【符号の説明】
【００７９】
１    新券発行機
２    ベース
３    本体ユニット
５    投出口
７    扉
１０、１０Ａ、１０Ｂ    紙幣収納庫
１３    揃え平面
１４    奥当て板
１５    左垂直側面
１６    右垂直側面
１７    天面
１８、１９    札押さえ
２１、２３    繰り出しベルト
４０    計数装置
【図１】
2010237782.tif 000003
【図２】
2010237782.tif 000004
【図３】
2010237782.tif 000005
【図４】
2010237782.tif 000006
【図５】
2010237782.tif 000007
【図６】
2010237782.tif 000008
【図７Ａ】
2010237782.tif 000009
【図７Ｂ】
2010237782.tif 000010
【図８】
2010237782.tif 000011
【図９】
2010237782.tif 000012
【図１０】
2010237782.tif 000013
【図１１】
2010237782.tif 000014
【図１２】
2010237782.tif 000015